(57)【要約】【課題】  ヘッド高さ位置を保持する回転磁気ヘッド装置を提供する。【解決手段】  ヘッド３の高さを所定の高さ位置に調整するネジ６において、当該ネジ６は、頭部１０と、軸部１１と、溝部１２と、を備え、前記溝部１２は、前記頭部１０と前記軸部１１との境に円環状に形成されることにより、ヘッド３の高さが所定の位置に調整された後、頭部１０と回転ドラム２間に塗布される硬化前の接着材を前記溝部１２に留め、前記軸部１１に滲入させない。【選択図】      図１
2005228396.tif 000002
【特許請求の範囲】
【請求項１】
ヘッドの高さを調整するためのネジと、前記ネジが挿入される雌ネジを有する回転ドラムと、が備えられた回転磁気ヘッド装置において、
ネジと回転ドラム間に塗布される接着剤の垂れを防止する構成を有する当該ネジによって、前記ヘッドの高さを所定の高さ位置に調整後、当該ネジを用いて前記ヘッドの高さ位置が所定の高さ位置に保持される、
ことを特徴とする回転磁気ヘッド装置。
【請求項２】
請求項１に記載の回転磁気ヘッド装置において、
前記ネジは、ネジ加工が施されていない頭部と、雄ネジ加工された軸部と、円環状に形成された溝部と、を有し、
前記溝部は、前記頭部と前記軸部との境に配置されている、
ことを特徴とする回転磁気ヘッド装置。
【請求項３】
請求項１または請求項２に記載の回転磁気ヘッド装置において、
前記溝部の前記頭部と対向する下側底面は、水平もしくは外周側に対して中心側の方が低くなる傾斜を有している、
ことを特徴とする回転磁気ヘッド装置。
【請求項４】
請求項１ないし請求項３のいずれかに記載の回転磁気ヘッド装置において、
前記溝部の前記頭部側の面は、外周側に対して中心側の方が低くなる傾斜を有している、
ことを特徴とする回転磁気ヘッド装置。
【発明の詳細な説明】
【技術分野】
【０００１】
本発明は、ヘッドの高さを所定の位置に保持する回転磁気ヘッド装置に関する。
【背景技術】
【０００２】
従来の回転磁気ヘッド装置について、図４を参照しながら説明する。
図４は、従来の回転磁気ヘッド装置における、ヘッドの高さを所定の高さ位置に調整するネジまわりの部分詳細図である。
【０００３】
まず、従来の回転磁気ヘッド装置の構成について説明する。従来の回転磁気ヘッド装置は、主として、回転ドラム２１、ヘッド３、ヘッドベース４、ネジ５、１８、によって構成されている。
【０００４】
ヘッド３はテープに対して磁気的に信号を記録再生するために用いられ、前記ヘッドベース４の先端に取付けられている。ヘッド３が取付けられた前記ヘッドベース４はネジ５によって回転ドラム２１に取付けられている。
【０００５】
前記回転ドラム２１にはネジ１８が挿入される雌ネジ１９が加工され、前記ネジ１８は雌ネジ１９に挿入されることによって前記ヘッドベース４を下方へ押下げ、ヘッドベース４の先端に取付けられたヘッド３の高さが調整される。
【０００６】
前記ネジ１８はヘッド３の高さを所定の高さ位置に調整する雄ネジであって、雄ネジ部１８１を有し、前記雄ネジ部１８１の外周部には軸方向に沿って等角度をおいて溝２０が形成され、ヘッド３の高さが調整された後、前記溝２０に図示しない接着剤が注入される。
【０００７】
以上のように構成された、従来の回転磁気ヘッド装置は、前記ネジ１８が回転ドラム２１に形成された雌ネジ１９に挿入され、更に、前記ネジ１８を回転させることによって、ヘッドベース４が押下げられ、ヘッドベース４に取り付けられたヘッド３の高さ位置が調整され、ヘッド３の高さが調整された後、ネジ１８の軸方向に沿って形成された前記溝２０に図示しない接着剤が注入され、前記ヘッド３の高さが固定される。（例えば、特許文献１参照。）。
【特許文献１】特開平０６−２２３３４７号公報（第１−６頁、第１図）
【発明の開示】
【発明が解決しようとする課題】
【０００８】
しかしながら、前記従来の回転磁気ヘッド装置は、接着剤がネジ１８の軸方向に沿って形成された溝２０に注入されるため、前記回転ドラム２１の雌ネジ１９と前記ネジ１８間に硬化前の接着剤が存在し、接着剤が前記雌ネジ１９と前記ネジ１８間の隙間を伝わり、ヘッドベース４とネジ１８先端間に回りこみ、そして、ヘッド高さ位置の変化の要因となるという課題があった。
【０００９】
本発明はこのような問題を鑑みてなされたものであり、ヘッド高さ位置を保持する回転磁気ヘッド装置を提供することを目的とする。
【課題を解決するための手段】
【００１０】
前記従来の課題を解決するために、本発明の請求項１に記載の回転磁気ヘッド装置は、ヘッドの高さを調整するためのネジと、前記ネジが挿入される雌ネジを有する回転ドラムと、が備えられた回転磁気ヘッド装置において、ネジと回転ドラム間に塗布される接着剤の垂れを防止する構成を有する当該ネジによって、前記ヘッドの高さを所定の高さ位置に調整後、当該ネジを用いて前記ヘッドの高さ位置が所定の高さ位置に保持されることを特徴とする。
【００１１】
また、本発明の請求項２に記載の回転磁気ヘッド装置は、請求項１に記載の回転磁気ヘッド装置において、前記ネジは、ネジ加工が施されていない頭部と、雄ネジ加工された軸部と、円環状に形成された溝部と、を有し、前記溝部は、前記頭部と前記軸部との境に配置されていることを特徴とする。
【００１２】
また、本発明の請求項３に記載の回転磁気ヘッド装置は、請求項１または請求項２に記載の回転磁気ヘッド装置において、前記溝部の前記頭部と対向する下側底面は、水平もしくは外周側に対して中心側の方が低くなる傾斜を有していることを特徴とする。
【００１３】
また、本発明の請求項４に記載の回転磁気ヘッド装置は、請求項１ないし請求項３のいずれかに記載の回転磁気ヘッド装置において、前記溝部の前記頭部側の面は、外周側に対して中心側の方が低くなる傾斜を有していることを特徴とする。
【発明の効果】
【００１４】
本発明の請求項１に記載の回転磁気ヘッド装置によれば、ヘッドの高さを調整するためのネジと、前記ネジが挿入される雌ネジを有する回転ドラムと、が備えられた回転磁気ヘッド装置において、ネジと回転ドラム間に塗布される接着剤の垂れを防止する構成を有する当該ネジによって、前記ヘッドの高さを所定の高さ位置に調整後、当該ネジを用いて前記ヘッドの高さ位置が所定の高さ位置に保持されるようにしたので、テープに信号を記録再生する際、高品質の記録再生する回転磁気ヘッド装置を提供することが可能となる効果がある。
【００１５】
また、請求項２に記載の回転磁気ヘッド装置によれば、請求項１に記載の回転磁気ヘッド装置において、前記ネジは、ネジ加工が施されていない頭部と、雄ネジ加工された軸部と、円環状に形成された溝部と、を有し、前記溝部は、前記頭部と前記軸部との境に配置されているようにしたので、温度変化や振動あるいは衝撃に対してヘッドの高さ位置を正確に保持する回転磁気ヘッド装置を提供することが可能となる効果がある。
【００１６】
また、請求項３に記載の回転磁気ヘッド装置によれば、請求項１または請求項２に記載の回転磁気ヘッド装置において、前記溝部の前記頭部と対向する下側底面は、水平もしくは外周側に対して中心側の方が低くなる傾斜を有する構成としたので、ヘッドベースの戻りが抑制され、ヘッド高さ位置を一定にする回転磁気ヘッド装置を提供することが可能となる効果がある。
【００１７】
また、請求項４に記載の回転磁気ヘッド装置によれば、請求項１ないし請求項３のいずれかに記載の回転磁気ヘッド装置において、前記溝部の前記頭部側の面は、外周側に対して中心側の方が低くなる傾斜を有する構成としたので、ヘッドベースとネジ先端間への接着材の回り込みを防止する回転磁気ヘッド装置を提供することが可能となる効果がある。
【発明を実施するための最良の形態】
【００１８】
（実施の形態１）
まず、本発明の実施の形態１における回転磁気ヘッド装置の構成について、図１ないし図３の各図を参照しながら説明する。
【００１９】
図１は、本発明の実施の形態１における、回転磁気ヘッド装置の構成の概要を表す断面図を示し、図２は、本発明の実施の形態１における、回転磁気ヘッド装置のヘッドの高さを所定の高さ位置に調整するネジまわりの部分詳細図を示し、図３は、本発明の実施の形態１における、回転磁気ヘッド装置のヘッドの高さを所定の高さ位置に調整するネジの詳細図を示す。
【００２０】
なお、図１、図２の各図において、図４に示す従来と同じ機構構成要素は、同じ記号を付し、詳細な説明は省略する。
【００２１】
図１、図２の各図に示されるように、本実施の形態１における回転磁気ヘッド装置は、主として、固定ドラム１、回転ドラム２、ヘッド３、ヘッドベース４、ネジ５，６，１７、ベース１６によって構成されている。
【００２２】
固定ドラム１はベース１６にネジ１７によって取付けられている。ヘッド３が取付けられたヘッドベース４は、ネジ５によって回転ドラム２に取付けられる。前記回転ドラム２には雌ネジ７および面取り８が備えられ、前記雌ネジ７は、ネジ加工されていない不完全雌ネジ部７１及び雌ネジ加工された雌ネジ部７２を有する。
【００２３】
回転ドラム２に取付けられた前記ヘッドベース４は、前記雌ネジ７にネジ６が挿入されることによってヘッドベース４が下方へ押下げられ、ヘッド３の高さが調整される。そして、ヘッド３の高さ位置の調整後、前記面取り８に接着剤１５が注入される。
【００２４】
前記ネジ６は、頭部１０と軸部１１と溝部１２と、によって構成され、前記溝部１２は前記頭部１０と前記軸部１１との境に円環状に形成され、ヘッド３の高さを所定の高さ位置に調整するネジである。前記頭部１０は、前記軸部１１より太くされることにより、頭部１０と不完全雌ネジ部７１間の隙間が軸部１１と雌ネジ部７２間の隙間より小さくされ、頭部１０と雌ネジ７間に塗布される接着剤の垂れ量を微少とさせる。また、前記頭部１０には切り込み９が加工され、当該ネジ６を回転ドラム２に取付けの際、図示しないドライバーが挿入される。前記軸部１１には、雄ネジ部１３及び軸部先端部１４が備えられ、前記雄ネジ部１３には雄ネジ加工が施され、軸部１１の先端に半球状に加工された前記軸部先端部１４を有している。前記溝部１２は、図３に示されるように、前記溝部１２の前記頭部１０と対向する下側底面１２２はネジ６の外周側に対して中心側の方が低い傾斜を有し、前記溝部１２の頭部側の面１２１はネジ６の外周側に対して中心側の方が低い傾斜を有し、微少ながらも頭部１０より滲入した接着剤を当該溝部１２に留め、前記ヘッドベース４と前記軸部先端部１４間に接着剤のまわりこみを防止する。
【００２５】
以上のように構成された本実施の形態１における、回転磁気ヘッド装置のヘッドの高さ位置保持手段について、図２、図３の各図を参照して説明する。
【００２６】
前記ネジ６の切り込み９に図示しないドライバーが差込まれ、このドライバーの回転量に応じてネジ６が図２の下方に必要量進められ、前記ネジ６がさらに下方に進められることによって生じるヘッドベース４の反力に抗して前記ヘッドベース４が下方に押され、ヘッドベース４の先端に取付けられたヘッド３が所定の高さに位置決めされる。
【００２７】
次に、所定の高さに位置決めされたヘッド３の高さを保持させるために、ネジ６の緩みを防止し、雌ネジ７に対して軸部１１の移動を防ぐ必要がある。そこで、ネジ６によりヘッド３の高さ位置決めを行なった後、図２に示すように、前記頭部１０と前記面取り８の間に接着剤１５が塗布され、塗布された前記接着剤１５が硬化することにより前記回転ドラム２と前記ネジ６が確実に接着され、ヘッド３の高さ位置を予め設定した位置に常に正しく保持される。
【００２８】
以上のように、本発明の実施の形態１における回転磁気ヘッド装置は、ネジ６と回転ドラム２間に塗布される接着剤の垂れを防止する溝部１２を有するネジ６によって、前記ヘッド３の高さを所定の高さ位置に調整後、当該ネジ６を用いて前記ヘッド３の高さ位置が所定の高さ位置に保持されるので、前記ヘッド３の高さを所定の位置に正確に保つことが可能となる。
【００２９】
また、前記６ネジは、ネジ加工が施されていない頭部１０と、雄ネジ加工された軸部１１と、円環状に形成された溝部１２と、を有し、前記溝部１２は、前記頭部１０と前記軸部１１との境に配置されているので、頭部１０から滲入した接着剤を溝部１２に留めることが可能となる。
【００３０】
また、前記溝部１２の前記頭部１０と対向する下側底面１２２は、水平もしくは外周側に対して中心側の方が低くなる傾斜を有しているので、前記ヘッドベース４と前記軸部先端部１４間への接着材の回りこみを防止することが可能となる。
【００３１】
また、前記溝部１２の頭部側の面１２１は、外周側に対して中心側の方が低くなる傾斜を有しているので、溝部１２へ滲入した接着剤は前記頭部側の面１２１を伝わり溝部１２へ接着剤を誘導することが可能となる。
【００３２】
なお、本実施の形態１において、前記溝部１２の形状は、下側底面１２２を前記ネジ６の外周から中心に対してやや下向きに傾斜させたが、前記下側底面１２２は水平であってもよく、本実施の形態１に限定されるものではない。
【産業上の利用可能性】
【００３３】
本発明は、回転磁気ヘッド装置において、ネジと回転ドラム間に塗布される接着剤の垂れを防止する溝部を有するネジを用いて、ヘッドの高さを所定の高さ位置に調整後、接着剤を塗布することで、ヘッドの高さを所定の位置に正確に保つことができ、テープに信号を記録再生する際、高品質の記録再生する回転磁気ヘッド装置を提供するのに利用できる。
【図面の簡単な説明】
【００３４】
【図１】本発明の実施の形態１における、回転磁気ヘッド装置の構成の概要を示す断面図
【図２】本発明の実施の形態１における、回転磁気ヘッド装置のヘッドの高さを所定の高さ位置に調整するネジまわりの部分詳細図
【図３】本発明の実施の形態１における、回転磁気ヘッド装置のヘッドの高さを所定の高さ位置に調整するネジの詳細図
【図４】従来の回転磁気ヘッド装置における、ヘッドの高さを所定の高さ位置に調整するネジまわりの部分詳細図
【符号の説明】
【００３５】
１  固定ドラム
２，２１  回転ドラム
３  ヘッド
４  ヘッドベース
５，６，１７，１８  ネジ
７，１９  雌ネジ
７１  不完全雌ネジ部
７２  雌ネジ部
８  面取り
９  切り込み
１０  頭部
１１  軸部
１２  溝部
１２１  頭部側の面
１２２  下側底面
１３，１８１  雄ネジ部
１４  軸部先端部
１５  接着剤
１６  ベース
２０  溝
【図１】
2005228396.tif 000003
【図２】
2005228396.tif 000004
【図３】
2005228396.tif 000005
【図４】
2005228396.tif 000006